(57)【要約】【課題】治具により端子金具間がショートすることを防止する。【解決手段】リテーナ５０の側板５２には、前縁の上端部に治具挿入溝７０が切り欠き形成され、雌ハウジング２０の段差面２７の垂直な前縁との間に、解除治具Ｊが差し込み可能とされる。解除治具Ｊをこじるように回動すると、リテーナ５０は誘導溝６０に沿って斜め下方に押し戻されて仮係止位置に至る。ここでリテーナ５０の前縁とリテーナ装着孔２５の前縁との間には隙間Ｓができ、解除治具Ｊが落ちるおそれがあるが、治具挿入溝７０の形成位置から落ちる可能性があるのは、側面側のしかも上部の隙間Ｓに限られる。この隙間Ｓには、上段の並列した雌端子１０のうちの端部の雌端子１０が臨むだけであり、しかもキャビティ間の残った仕切壁２２Ａで覆われた状態にあるから、仮に解除治具Ｊが落ちても、ショートはもちろんのこと雌端子１０に接触することも防止される。【選択図】  図１３
2005005100.tif 000002
【特許請求の範囲】
【請求項１】
コネクタハウジング内には、端子金具を後方から挿入可能な複数のキャビティが幅方向に並んで形成され、各キャビティには前記端子金具に弾性的に一次係止するランスが設けられるとともに、
前記コネクタハウジングの外面には前記各キャビティに連通してリテーナ装着孔が開口され、このリテーナ装着孔には、前記端子金具に係止する係止部を有する基部の両側に一対の側板を備えてなるリテーナが、前記コネクタハウジングを幅方向に挟みつつ斜め後方からの進退可能に装着され、
かつこのリテーナは、前記係止部が前記キャビティから退避して前記端子金具の挿抜を許容する仮係止位置と、前記係止部が前記キャビティ内に進出して対応する端子金具に二重係止する本係止位置とでそれぞれ保持可能とされ、
また、治具により前記本係止位置から前記仮係止位置へ戻し操作可能とされたコネクタにおいて、
前記治具を挿入する治具挿入部が前記リテーナにおける前記側板に設けられ、前記治具を前記側板の板面方向に沿って回動することで前記リテーナの戻し操作が行われることを特徴とするコネクタ。
【請求項２】
前記治具挿入部が、前記各キャビティの間を仕切る仕切壁が残っている部分に対応した位置に設けられていることを特徴とする請求項１記載のコネクタ。
【請求項３】
前記キャビティ列が複数段にわたって配され、前記リテーナ装着孔が、前記各段のキャビティへ連通するような深さをもって開口されていることを特徴とする請求項１記載のコネクタ。
【請求項４】
前記治具挿入部が、前記リテーナの側板における進退方向の深い位置側に設けられていることを特徴とする請求項３記載のコネクタ。
【請求項５】
前記リテーナの進退方向の浅い位置には、このリテーナが前記本係止位置にある場合に前記コネクタハウジングに係止してこのリテーナの後退を規制するロック部が設けられていることを特徴とする請求項４記載のコネクタ。
【発明の詳細な説明】
【０００１】
【発明の属する技術分野】
本発明は、二重係止用のリテーナを備えたコネクタに関する。
【０００２】
【従来の技術】
従来より、コネクタハウジングの側面、例えば底面にリテーナ装着孔を設け、ここからリテーナを押し込んで端子金具に係止させる、いわゆるサイドリテーナタイプと呼ばれる形式のものが知られており、その中でも、リテーナを斜めに押し込むものがある（例えば、特許文献１参照）。
このものは具体的には、コネクタハウジング内に、ランスを備えた複数のキャビティが幅方向に並んで形成されるとともに、コネクタハウジングの底面において各キャビティに連通して開口されたリテーナ装着孔に、端子金具に係止する係止部を有する底板の両側に一対の側板を備えてなるリテーナが、コネクタハウジングを幅方向に挟みつつ斜め後方からの進退可能に装着されている。
【０００３】
そしてリテーナは、係止部がキャビティから退避した仮係止位置に予め保持され、この状態から各キャビティに端子金具が後方から挿入されて、正規量挿入されたところでランスにより弾性的に一次係止される。続いて、リテーナが本係止位置に押し込まれ、係止部がキャビティ内に進入しつつ端子金具に係止することで、二重に抜け止めされるようになっている。
特に斜めに押し込むタイプのものは、正規量だけ挿入されていない、すなわち半挿入の端子金具があった場合には、リテーナが押し込まれる過程で係止部が端子金具を押して正規位置まで至らせることができるという利点がある。
【０００４】
【特許文献１】
特開平６−１５１００２号公報
【０００５】
【発明が解決しようとする課題】
一方、メンテナンス等で端子金具をコネクタハウジングから外す場合は、治具を利用してリテーナを本係止位置から仮係止位置に戻したのち、別の治具でランスを係止解除方向に撓み変位させつつ端子金具をキャビティから引き抜くこととなる。
従来、リテーナを仮係止位置に戻す部分の構造は、図１４に示すように、リテーナ１の底板２における前縁側の両端部に、マイナスドライバ状の治具Ｊを挿入可能な治具挿入溝３が切り欠き形成されており、治具挿入溝３に治具Ｊを差し込んで同図の矢線方向に回動することにより、本係止ロックが外れつつリテーナ１が斜め後方に移動して仮係止位置に戻されるようになっている。
【０００６】
ここで、リテーナ１が斜め方向に移動するものでは、それが仮係止位置に戻った際には、同図の鎖線に示すように、図らずもリテーナ１の底板２と、コネクタハウジング４に開口されたリテーナ装着孔５の前縁同士の間に隙間ｓができ、キャビティ内に挿入された端子金具６が露出した状態となるため、治具Ｊが滑る等で治具挿入溝３から外れて隙間ｓに落ち込むと、隣接した端子金具６にわたって接触してショートさせるおそれがあった。
本発明は上記のような不具合を除去すべく完成されたものである。
【０００７】
【課題を解決するための手段】
請求項１の発明は、コネクタハウジング内には、端子金具を後方から挿入可能な複数のキャビティが幅方向に並んで形成され、各キャビティには前記端子金具に弾性的に一次係止するランスが設けられるとともに、前記コネクタハウジングの外面には前記各キャビティに連通してリテーナ装着孔が開口され、このリテーナ装着孔には、前記端子金具に係止する係止部を有する基部の両側に一対の側板を備えてなるリテーナが、前記コネクタハウジングを幅方向に挟みつつ斜め後方からの進退可能に装着され、かつこのリテーナは、前記係止部が前記キャビティから退避して前記端子金具の挿抜を許容する仮係止位置と、前記係止部が前記キャビティ内に進出して対応する端子金具に二重係止する本係止位置とでそれぞれ保持可能とされ、また、治具により前記本係止位置から前記仮係止位置へ戻し操作可能とされたコネクタにおいて、前記治具を挿入する治具挿入部が前記リテーナにおける前記側板に設けられ、前記治具を前記側板の板面方向に沿って回動することで前記リテーナの戻し操作が行われるところに特徴を有する。
請求項２の発明は、請求項１に記載のものにおいて、前記治具挿入部が、前記各キャビティの間を仕切る仕切壁が残っている部分に対応した位置に設けられているところに特徴を有する。
【０００８】
請求項３の発明は、請求項１に記載のものにおいて、前記キャビティ列が複数段にわたって配され、前記リテーナ装着孔が、前記各段のキャビティへ連通するような深さをもって開口されているところに特徴を有する。
請求項４の発明は、請求項３に記載のものにおいて、前記治具挿入部が、前記リテーナの側板における進退方向の深い位置側に設けられているところに特徴を有する。
請求項５の発明は、請求項４に記載のものにおいて、前記リテーナの進退方向の浅い位置には、このリテーナが前記本係止位置にある場合に前記コネクタハウジングに係止してこのリテーナの後退を規制するロック部が設けられているところに特徴を有する。
【０００９】
【発明の作用及び効果】
＜請求項１の発明＞
リテーナが仮係止位置に戻されてリテーナ装着孔との間に隙間ができた場合、リテーナの側板側では、並列した端子金具のうちの端部の端子金具が露出するだけに留められる。そのため仮に治具挿入部から外れて治具が隙間に落ち込んだとしても、せいぜい端部の１本の端子金具に接触するだけであって、いわゆる端子金具間のショート事故を起こすことが防止される。
＜請求項２の発明＞
隙間に落ち込んだ治具は、キャビティ間の仕切壁に当たることで、端子金具と接触することが完全に規制される。
【００１０】
＜請求項３の発明＞
キャビティ列が複数段にわたる場合、特に開口に近い浅い側の段のキャビティでは、深い側の段のキャビティに進入する係止部を逃がす必要があるために仕切壁を設けることが難しく、そのためにキャビティに挿入された端子金具はほとんど剥き出しとなる可能性が高く、もしリテーナの基部側にできた隙間に治具が落ちると、並んだ端子金具間のショートが起きるおそれが大きい。
その点この発明では、治具挿入部がリテーナの側板に設けられることで、治具が落ちる可能性があるのはリテーナの側板とリテーナ装着孔との間の隙間に限られ、この隙間には並列した端子金具のうちの端部の端子金具が露出するだけに留められるから、ショート事故が起きることについてはこれが防止される。
【００１１】
＜請求項４の発明＞
深い側の段のキャビティでは、係止部の逃がしを余り考慮する必要がないために、キャビティ間の仕切壁を残しておくことが可能であり、したがって治具が隙間に落ち込んだとしても仕切壁に当たることで、端子金具と接触することが完全に規制される。
＜請求項５の発明＞
治具によりリテーナの戻し操作を行った場合、治具挿入部とロック部との位置関係により、リテーナはロック部付近を中心として回動するように作用して、ロック部の係止が外れやすい。したがって、リテーナの仮係止位置への戻し操作を簡易に行うことができる。
【００１２】
【発明の実施の形態】
以下、本発明の一実施形態を図１ないし図１３に基づいて説明する。
この実施形態では、雌側のコネクタを例示しており、大まかには図９に示すように、雌側のコネクタハウジング２０（以下、雌ハウジングという）と、これに収容される雌端子１０と、雌端子１０を二重に抜け止めするためのリテーナ５０とから構成されている。
なお以下では、同図の左側を前方として説明する。
【００１３】
先に雌端子１０を図９によって説明すると、雌端子１０は所定の展開形状に打ち抜かれた金属板を曲げ形成したものであり、前部側には、図示しない相手の雄端子のタブが進入して接続可能な角筒状をなす接続部１１が設けられ、後部側に設けられたバレル１２をかしめることで電線Ｗの端末に固着されている。
雌端子１０の接続部１１の下面における前端寄りの中央幅位置には、後記するランス２３に係止可能な前突部１３が叩き出しによって形成されているとともに、同下面の後端の中央幅位置には、リテーナ５０に係止可能な後突部１４が同じく叩き出しによって形成されている。なお、この後突部１４の少し前方に、逆挿入防止等に機能するスタビライザ１５が一側面から起立形成されている。
【００１４】
雌ハウジング２０は合成樹脂製であって、図１ないし図４に示すように、全体としては横幅の広い扁平なブロック状に形成されている。雌ハウジング２０の上面には、図示しない相手の雄ハウジングとの間を嵌合状態にロックするためのロックアーム２１が形成されている。
雌ハウジング２０の内部には、前後方向を向いた複数のキャビティ２２が幅方向に並んで形成され、さらにこれらは上下二段にわたって設けられている。各キャビティ２２内には、上記した雌端子１０が後方から挿入されて収容可能とされており、その底面の前部側には、雌端子１０に対して一次係止するランス２３が設けられている。ランス２３は前方へ片持ち状に延び、先端側が上下方向に撓み変位可能となっており、雌端子１０がランス２３上を通過することに伴って下方へ撓み変位し、通過後には復帰して雌端子１０に形成された前突部１３に係止することで、雌端子１０の抜け止めを行うように機能する。
【００１５】
雌ハウジング２０の下面（ロックアームが設けられているのと反対側の面）には、リテーナ５０を装着するためのリテーナ装着孔２５が開設されている。リテーナ装着孔２５は詳細には、雌ハウジング２０の下面と左右の側面との三面領域にわたって形成され、したがって三方へ開口した形態となっている。
またリテーナ装着孔２５は、上段に位置する各キャビティ２２の内部を露出させる深さをもって形成され、詳細には、図２に示すように、リテーナ装着孔２５の天井面が、上段のキャビティ２２のほぼ中央高さに位置している。これにより、下段のキャビティ２２では全高にわたり、また上段のキャビティ２２では下半分の高さ部分で前後に分断されることになる。この分断部分では、横方向に隣り合うキャビティ２２間を仕切る仕切壁２２Ａも除去された形態となる。
さらに、雌ハウジング２０の内部においてリテーナ装着孔２５によって切り欠かれた部分では、前面側は各キャビティ２２の開口縁が全て鉛直に切り立つように形成される一方、後面側は各キャビティ２２の開口縁が雌端子１０の挿入方向前方から後方にかけて下り勾配となるような傾斜をもって形成されている。
【００１６】
雌ハウジング２０の左右の側面では、図１に示すように、リテーナ装着孔２５の側面開口部の上方及び後方にかけての領域が、段差面２７となって前方の領域より一段凹ませてある。この段差面２７には、リテーナ装着孔２５の傾斜縁に沿うようにして、リブ形状の係止突起２８が形成されている。この係止突起２８の主たる役割は、リテーナ５０を雌ハウジング２０に対して押し込んで装着する際に、押し込み姿勢を安定させることにある。係止突起２８の外面は、長さ方向の中心線を境にして下側（リテーナ装着孔２５寄りの側）で、全面に面取り２９が施され、リテーナ５０の誘導溝６０（図６参照）に対する嵌め入れ動作を円滑に行うことができるようにしている。係止突起２８の上下両端面はそれぞれ水平面３０が形成され、かつ上側の端面は水平面３０に連続する鉛直面３１も形成されている。
係止突起２８の下方の延長線上には、押し込み規制突起３３が形成されている。この押し込み規制突起３３は、リテーナ５０が仮係止位置にあるとき（図８参照）、リテーナ５０の誘導溝６０の下端に係止することで、リテーナ５０が誤って本係止位置まで押し込まれることを規制するためのものである。
【００１７】
段差面２７における上記の係止突起２８の上方には、リテーナ５０が本係止位置にあるとき（図１０参照）のがたつきを抑えるためのがたつき規制部３５が突設され、前後方向に沿ってほぼ水平に延びる形態で形成されている。一方、がたつき規制部３５の下縁は全縁に亘ってテーパ面３６が施されている。
また、がたつき規制部３５の前方には、引掛け片３７が突出形成されている。この引掛け片３７は上縁ががたつき規制部３５の上縁と連続するように形成され、リテーナ５０が本係止位置に達したときに、リテーナ５０の係止爪６５（図７参照）に係止してリテーナ５０が下方へ抜けることを規制するようになっている。だだし、同図にも示すように、引掛け片３７の正面は上方へ上り勾配となるテーパ面３８とされ、係止爪６５の乗り上げ動作が円滑になされるようになっている。
【００１８】
次に、リテーナ５０について説明すると、リテーナ５０は雌ハウジング２０と同様に合成樹脂材で形成され、図５ないし図７に示すように、リテーナ装着孔２５へ整合して嵌合される基部５１と、この基部５１の幅方向の両端部に張り出し形成された一対の側板５２とからなっている。
基部５１には、図５に示すように、雌ハウジング２０の各段におけるキャビティ２２と同数個の窓枠５４が形成されている。各窓枠５４は下段側のキャビティ２２と整合可能に形成されるとともに、図６に示すように、各窓枠５４の前面側の開口縁はリテーナ装着孔２５によって前後に分断された各キャビティ２２の前面側の開口縁と整合するように、鉛直に切り立つように形成されている一方、各窓枠５４の後面側の開口縁は分断されたキャビティ２２の後面側の開口縁の傾斜と整合するような傾斜をもって形成されている。
【００１９】
各窓枠５４の下面の前端部と、基部５１の上面部とには、それぞれ雌端子１０の後突部１４の後面に係止可能な係止部５５が形成されている。なお、下段側の係止部５５の後方は、雌端子１０の逃がしのために凹み形成されている。
上下の係止部５５は、リテーナ５０が仮係止位置にあるときには、図９に示すように、対応するキャビティ２２の底面とほぼ同じ高さに退避するようにしてあり、雌端子１０の挿抜を可能にしている。一方、リテーナ５０が本係止位置に移行したときには、図１１に示すように、各係止部５５は対応するキャビティ２２内に下方から進入し、雌端子１０の後突部１４に係止可能となっている。
また、各係止部５５には、雌端子１０のスタビライザ１５の通過を許容するスタビライザ通過溝５６が凹み形成されている。
【００２０】
リテーナ５０の両側板５２は、雌ハウジング２０の両側面間を跨いで挟むことができる間隔をもって配され、かつ拡開変形可能である。両側板５２は、リテーナ５０が本係止位置に至った場合に、リテーナ装着孔２５の側面開口を塞ぐとともに、段差面２７の所定範囲と対面可能な大きさに形成されている。また両側板５２は、段差面２７の深さとほぼ同じ厚さをもって形成され、リテーナ５０が本係止位置にあるときには雌ハウジング２０の外側面とほぼ面一をなし、すなわち両側板５２は雌ハウジング２０における側面部の外壁を兼ねることとなる。
【００２１】
両側板５２の後部側の外面には厚肉となった操作部５８が縦向きに形成されており、その下端部は基部５１の下面から突出するように形成されている。
側板５２における操作部５８が形成された領域には、誘導溝６０が貫通して形成されている。誘導溝６０は各窓枠５４の後面側の傾斜に沿った勾配、すなわち雌ハウジング２０の各キャビティ２２の後面側の開口縁の傾斜と同一勾配をもって形成されている。誘導溝６０は、上記した係止突起２８の短尺側の幅寸法とほぼ同じ溝幅をもって形成され、その両端部は係止突起２８の両端部の形状に適合するように形成されている。
【００２２】
誘導溝６０は、図８に示すように、その両端に係止突起２８及び押し込み規制突起３３をともに嵌合可能であり、係る状態においてリテーナ５０が仮係止位置で保持されるようになっている。リテーナ５０を仮係止位置から本係止位置へ移行させる際には、押し込み規制突起３３を誘導溝６０から退出させるべくここを乗り上げてゆくことになり、この間に両側板５２は拡開変形するが、押し込み規制突起３３に比較して係止突起２８は突出量が大きく、側板５２の拡開変形によっても誘導溝６０との係止状態が継続するように十分な高さの係止代が設定されている。かくして図１０に示すように、係止突起２８が誘導溝６０の下端側に移動することによってリテーナ５０は本係止状態となる。
【００２３】
両側板５２の内面において誘導溝６０の上方には、上記したがたつき規制部３５を嵌め入れ可能な規制凹部６２が形成され、その上下両縁にはテーパ面６３が形成されている。規制凹部６２は長さ方向に関しては、両側板５２のほぼ中央部から後端に至るまでの範囲にわたり、また高さ方向に関しては、誘導溝６０の上端部から側板５２の上端縁に至るまでの範囲にわたって凹み形成されている。なお、下側のテーパ面６３は、後端側で下り勾配に形成されている。
そして、リテーナ５０が仮係止位置にあるときには、図８に示すように、がたつき規制部３５の上縁が規制凹部６２の上縁とほぼ揃う高さ位置に保持され、規制凹部６２の下縁とは所定の隙間が保有されるようになっている。また、リテーナ５０が本係止位置にあるときには、図１０に示すように、がたつき規制部３５の下縁のテーパ面３６が規制凹部６２の下縁のテーパ面６３と整合して当たり合い、上方へのがたつきを規制することができるようになっている。
【００２４】
規制凹部６２はさらに前方へ延長されてその凹み領域が拡大されているが、上縁部については係止爪６５が形成されるようにしている。この係止爪６５は、リテーナ５０が仮係止位置にあるときには、雌ハウジング２０側の引掛け片３７とほぼ同じ高さ位置をもって対面する関係にあるが（図８参照）、リテーナ５０が本係止位置へ移行したときには、引掛け片３７のテーパ面３８を乗り越えて引掛け片３７の上縁に係止し、リテーナ５０の下方への抜け止めを図るようになっている。
【００２５】
また、リテーナ５０の基部５１における傾斜した後面には、図７及び図１２にに示すように、その幅方向の両端部において、ロック突部６７が形成されている。このロック突部６７は、上面が水平で、後面が垂直に形成され、角はＣ面とされている。一方、雌ハウジング２０におけるリテーナ装着孔２５の傾斜面には、同図に示すように、その下縁側における幅方向の両端部に、上記したロック突部６７が嵌合可能なロック孔４０が形成されている。このロック孔４０も、天井が水平で、奥面が垂直状に形成されている。
【００２６】
リテーナ５０が仮係止位置にあるときには、図９に示すように、ロック突部６７はロック孔４０の後側の斜め下方で待機しており、リテーナ５０が本係止位置へ移行したときには、図１２に示すように、ロック突部６７がロック孔４０内に嵌まり、主にリテーナ５０の後方への抜け止めを図るようになっている。これにより、上記した引掛け片３７と係止爪６５との係合と合わせて、リテーナ５０が本係止位置に保持されるようになっている。
【００２７】
一方リテーナ５０は、本係止位置から仮係止位置に向けて解除治具Ｊにより戻し操作されるようになっている。解除治具Ｊは金属製であって、図１０に示すように、先細りの略マイナスドライバ状となっている。
そして、リテーナ５０における側板５２には、その前縁の上端部に治具挿入溝７０が切り欠き形成され、雌ハウジング２０の段差面２７における垂直な前縁との間に、解除治具Ｊが上方から差し込み可能とされている。治具挿入溝７０の入口の角の部分は、ガイド用に面取り７１が施されている。
【００２８】
続いて、本実施形態の作用を説明する。
組み付けに当たっては、まずリテーナ５０が雌ハウジング２０に対して仮係止位置に保持される。リテーナ５０は、両側板５２を拡開させながら雌ハウジング２０の両段差面２７を挟むようにして押し込まれ、図８に示すように、誘導溝６０内に係止突起２８と押し込み規制突起３３とを共に嵌め入れる。係止突起２８と押し込み規制突起３３とがそれぞれ誘導溝６０の両端に係止することで、リテーナ５０が仮係止位置に保持された状態となる。この仮係止位置では、図９に示すように、リテーナ５０の上下の係止部５５が、対応するキャビティ２２の下方に退避している。
この状態から各キャビティ２２に対して雌端子１０が後方から挿入され、雌端子１０はリテーナ５０を通過し、さらにはランス２３を下方に撓み変位させつつ押し込まれ、前突部１３がランス２３の先端を越えると、ランス２３が復動してその先端が前突部１３に係止し、いわゆる一次係止される。
【００２９】
すべてのキャビティ２２への雌端子１０の挿入が終了したら、操作部５８を摘んで仮係止位置にあるリテーナ５０を本係止位置に向けて押し込む。そうすると、誘導溝６０の下端部周辺が押し込み規制突起３３を乗り上げるべく変形して、誘導溝６０から退出するとともに、リテーナ５０は係止突起２８と誘導溝６０との嵌め合いによる案内作用を受けて、斜め上方へと押し込まれる。
そして、リテーナ５０が本係止位置に至ると、雌ハウジング２０の内部では、図１１に示すように、上下の係止部５５がキャビティ２２内に下方から進入して、対応する雌端子１０の後突部１４の後面側に係止し、雌端子１０をランス２３と共に二重に抜け止めする。
【００３０】
この本係止位置では、図１０に示すように、係止爪６５がテーパ面３８を乗り越えて引掛け片３７の上縁に係止することで、下方への抜け止めが図られ、また図１２に示すように、ロック突部６７がロック孔４０に嵌まることで後方への抜け止めが図られ、もってリテーナ５０は本係止位置にロックされる。併せて、がたつき規制部３５の下縁が規制凹部６２の下縁に当接することで、リテーナ５０の上方へのがたつきも規制される。
なお、雌端子１０の挿入深さが不足してランス２３に対し未係止の状態、すなわち半挿入の状態にある場合でも、リテーナ５０が斜めに進入する過程で、係止部５５が雌端子１０の後突部１４を押すため、雌端子１０を正規位置にまで自動的に矯正することができる。一方、雌端子１０の挿入位置が上記した半挿入の状態よりもさらに浅い場合には、リテーナ５０を押し込もうとしても、係止部５５が雌端子１０の接続部１１の下面と干渉し、それ以上の押し込みが規制され、これにより作業者は、雌端子１０が正規挿入深さからは遠い位置にあることを知ることができる。
【００３１】
一方、メンテナンス等において雌端子１０を雌ハウジング２０から外す場合は、以下のようにして行う。まず、雌ハウジング２０を相手の雄ハウジングから外したのち、図１０の矢線に示すように、治具挿入溝７０に解除治具Ｊの先端を差し入れる。続いて、解除治具Ｊの先端を、図１２の矢線に示す方向にこじるように回動すると、治具挿入溝７０の側縁が後方（同図の右側）に押されることで、誘導溝６０に沿うようにしてリテーナ５０は斜め下方に押し戻され、それに伴い側板５２が拡開しつつ係止爪６５が引掛け片３７を乗り越えて外れ、またロック突部６７がロック孔４０から外れる。そして最終的に、図１３に示すように、再度誘導溝６０内に押し込み規制突起３３を係止させれば、リテーナ５０は仮係止位置に復帰して保持される。そうしたら、雌ハウジング２０の前方から別の治具を用いてランス２３を解除操作すれば、電線Ｗを引っ張ることで雌端子１０をキャビティ２２から後方に抜き取ることができる。
【００３２】
ここで、リテーナ５０が仮係止位置に戻された際には、図１３に示すように、リテーナ５０の前縁とリテーナ装着孔２５の前縁との間には、比較的広い隙間Ｓができる。したがって、解除治具Ｊが隙間Ｓ内に落ち込むおそれがある。例えば下面側にできた隙間Ｓには、下段側の雌端子１０が剥き出しとなって並んで露出された状態にあるため、下面側から隙間Ｓに解除治具Ｊが落ち込むと、並んだ複数の雌端子１０に同時に接触してショートを起こすおそれがある。
その点この実施形態では、治具挿入溝７０が、リテーナ５０の側板５２の前縁における上端部に形成されているから、仮に解除治具Ｊが滑ったとしても、落ちる可能性があるのは、側面側のしかも上部の隙間Ｓに限られる。この隙間Ｓは、上段のキャビティ２２の側方に対応していて、並列した雌端子１０のうち端部の雌端子１０を臨むだけであり、しかもキャビティ２２間の残った仕切壁２２Ａで覆われた状態にあるから、仮に解除治具Ｊが落ち込んだとしても、ショートすることはもちろんのこと、雌端子１０に接触すること自体が防止される。
【００３３】
また、解除治具Ｊが回動操作される部位と、ロック突部６７がロック孔４０に嵌まった位置とがほぼ対角位置にあって、解除治具Ｊにより回動操作されると、リテーナ５０はロック部分付近を中心として回動するように作用し、ロック突部６７がロック孔４０から外れやすい。そのため、リテーナ５０を本係止位置から仮係止位置へ戻す操作を比較的容易に行うことができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）治具挿入溝はリテーナの側板の前縁における下部側に設けてもよい。この場合は、側面側の下部の隙間に解除治具が落ち込む可能性もあるが、この隙間には、下段の雌端子のうちの端部の雌端子が露出しているだけであるから、解除治具が落ち込んだとしても接触するのは端部の１本の雌端子に限られ、少なくともショート事故が起きることは確実に防止される。よって、このようなものも本発明の技術的範囲に含まれる。
【００３５】
（２）リテーナが賄うキャビティ列が１段だけのものであっても、キャビティ間の仕切壁の形成具合等によって、リテーナとリテーナ装着孔との間にできた隙間に、並んだ端子金具が外部からの接触可能に露出して配されるような場合には、解除治具の接触に起因したショートを防止することについて、本発明は同様に有効となる。
（３）本発明は、雄端子を収容してなる雄コネクタについても適用することが可能である。
【図面の簡単な説明】
【図１】本発明の一実施形態に係る雌ハウジングの側面図
【図２】同側断面図
【図３】同背面図
【図４】同底面図
【図５】リテーナの背面図
【図６】同側断面図
【図７】雌ハウジングとリテーナの部分分解斜視図
【図８】リテーナが仮係止位置にある状態の側面図
【図９】雌端子の挿入動作を示す側断面図
【図１０】リテーナが本係止位置にある状態の側面図
【図１１】同側断面図
【図１２】リテーナの戻し動作を説明する一部切欠側面図
【図１３】リテーナが仮係止位置に戻された状態の一部切欠側面図
【図１４】従来例の底面図
【符号の説明】
１０…雌端子（端子金具）
２０…雌ハウジング（コネクタハウジング）
２２…キャビティ
２２Ａ…仕切壁
２３…ランス
２５…リテーナ装着孔
２７…段差面
２８…係止突起
３３…押し込み規制突起
３７…引掛け片
４０…ロック孔
５０…リテーナ
５１…基部
５２…側板
５５…係止部
６０…誘導溝
６５…係止爪
６７…ロック突部（ロック部）
７０…治具挿入溝（治具挿入部）
Ｊ…解除治具
Ｓ…隙間
【図１】
2005005100.tif 000003
【図２】
2005005100.tif 000004
【図３】
2005005100.tif 000005
【図４】
2005005100.tif 000006
【図５】
2005005100.tif 000007
【図６】
2005005100.tif 000008
【図７】
2005005100.tif 000009
【図８】
2005005100.tif 000010
【図９】
2005005100.tif 000011
【図１０】
2005005100.tif 000012
【図１１】
2005005100.tif 000013
【図１２】
2005005100.tif 000014
【図１３】
2005005100.tif 000015
【図１４】
2005005100.tif 000016